(57)【特許請求の範囲】
【請求項１】
浴室内の空気を吸引して外部に排出する換気手段、前記浴室内の空気を吸引しかつその空気を前記浴室内に吹き出す循環手段、及び、前記循環手段にて通風される空気を加熱する空気加熱手段を備えた換気機能付暖房手段と、
前記換気機能付暖房手段の作動を制御する制御手段とが設けられ、
前記制御手段が、乾燥運転開始が指令されると、乾燥運転用の作動状態として定めた乾燥運転作動状態にて、前記換気機能付暖房手段を作動させて乾燥運転を実行し、且つ、運転終了条件が満たされると、前記乾燥運転を停止するように構成された浴室乾燥機であって、
前記換気手段の換気作動に伴って前記浴室内に流入する外気の絶対湿度を検出する外気湿度検出手段、及び、前記浴室内の絶対湿度を検出する浴室湿度検出手段が設けられ、
前記制御手段が、
前記乾燥運転を開始したのちにおいて前記浴室湿度検出手段の検出湿度が低下傾向になり、かつ、その低下傾向を示す傾きの設定時間内の変化が設定範囲内となる傾き安定状態になったときから、前記浴室湿度検出手段の検出湿度から前記外気湿度検出手段の検出湿度を減算した湿度差と、前記換気手段の換気量との積を、時間経過に伴って積算した安定後積算排水量を求めて、その安定後積算排水量が予測残排水量になると、前記運転終了条件が満たされたと判別するように構成され、且つ、
前記傾き安定状態になったときの傾きにて、前記浴室内の絶対湿度が、前記外気湿度検出手段にて検出される外気湿度又はその外気湿度に設定値を加えた判別用湿度にまで低下すると仮定して、前記傾き安定状態になったときから、前記浴室内の絶対湿度が前記外気湿度又は前記判別用湿度に低下する間に前記浴室から排出される排水量を求めて、その排水量を前記予測残排水量として定めるように構成されている浴室乾燥機。
【請求項２】
前記乾燥運転作動状態が、前記乾燥運転の開始から終了まで、前記換気手段、前記循環手段、及び、前記空気加熱手段を作動させて温風乾燥運転を行う条件に定められている請求項１記載の浴室乾燥機。
【請求項３】
前記乾燥運転作動状態が、前記乾燥運転を開始してから前記傾き安定状態になるまでを乾燥初期として、その乾燥初期及び乾燥終期においては、前記換気手段、前記循環手段、及び、前記空気加熱手段を作動させる温風乾燥運転を行い、前記乾燥初期と前記乾燥終期との間の乾燥中期においては、前記換気手段及び前記循環手段を作動させ且つ前記空気加熱手段を停止させる通風乾燥運転を行う条件に定められている請求項１記載の浴室乾燥機。
【発明の詳細な説明】
【技術分野】
【０００１】
本発明は、浴室内の空気を吸引して外部に排出する換気手段、前記浴室内の空気を吸引しかつその空気を前記浴室内に吹き出す循環手段、及び、前記循環手段にて通風される空気を加熱する空気加熱手段を備えた換気機能付暖房手段と、前記換気機能付暖房手段の作動を制御する制御手段とが設けられ、
前記制御手段が、乾燥運転開始が指令されると、乾燥運転用の作動状態として定めた乾燥運転作動状態にて、前記換気機能付暖房手段を作動させて乾燥運転を実行し、且つ、運転終了条件が満たされると、前記乾燥運転を停止するように構成された浴室乾燥機に関する。
【背景技術】
【０００２】
かかる浴室乾燥機は、浴室を換気しながら、浴室内の空気を空気加熱手段にて加熱して浴室内に吹き出すことにより、浴室内に存在する洗濯物等の被乾燥物を乾燥するようにしたものである。
ちなみに、浴室内の空気を吸引して外部に排出する換気手段が作動されると、浴室の扉に設けたギャラリー等から、浴室に隣接する脱衣室等、浴室外の外気が浴室内に流動して、浴室が換気されることになり、この換気により、被乾燥物から放出される水分が浴室外に排出されることなる。
尚、洗濯物等の被乾燥物を乾燥する場合には、一般に、被乾燥物を支持する物干しバーが浴室の対向する側壁の間に配置されて、その物干しバーに、被乾燥物を直接支持することや、被乾燥物を保持するハンガーを支持することが行われる。
【０００３】
換気機能付暖房手段は、浴室の天井部に設置されることが多いが、浴室の側壁部に設置されることもある。
そして、換気機能付暖房手段に装備する空気加熱手段としては、熱源機からの熱媒（例えば、８０℃の温水）が循環供給される熱交換器が用いられることが多いが、電気ヒータを用いた電気式の加熱器が使用される場合もある。
【０００４】
このような浴室乾燥機の第１の従来例として、乾燥運転を開始するときに、浴室外の温度を予め計測して、周囲温度として記憶しておき、乾燥運転を開始したのち、浴室内の湿度が設定値以下になったときに、予め計測して記憶している周囲温度、及び、周囲温度と残り運転時間との関係を定める換算表に基づいて、残り運転時間を決定して、浴室内の湿度が設定値以下になったときからの経過時間が、残り運転時間になると、運転終了条件が満たされたとして、乾燥運転を停止するように構成されたものがある（例えば、特許文献１参照。）。
【０００５】
つまり、この第１の従来例においては、被乾燥物の乾燥が進んで乾燥の終了近くになって、浴室内の湿度が設定値以下になると、残り運転時間を決定して、それからの経過時間が残り運転時間なると、乾燥運転を停止するようにしたものである。
【０００６】
また、浴室乾燥機の第２の従来例として、被乾燥物の重量を検出する重量センサを設けて、その重量センサにて検出される重量の時間変化率が一定値以下になると、運転終了条件が満たされたとして、乾燥運転を停止するように構成されたものがある（例えば、特許文献２参照。）。
ちなみみ、この特許文献２においては、重量センサが、被乾燥物を支持する物干しバー（物干し竿）を支持する受け部に作用する重量を、被乾燥物の重量として検出するように構成されている。
【０００７】
つまり、この第２の従来例は、被乾燥物の乾燥が終了すると、被乾燥物から水分の蒸発がなくなって、被乾燥物の重量が変化しなくなると、乾燥運転を停止するようにしたものである。
【先行技術文献】
【特許文献】
【０００８】
【特許文献１】特開平６−２２５９９３号公報
【特許文献２】特開２０００−２７１３９６号公報
【発明の概要】
【発明が解決しようとする課題】
【０００９】
第１の従来例は、被乾燥物の乾燥が進んで乾燥の終了近くになって、浴室内の湿度が設定値以下になったときに、予め計測して記憶している周囲温度、及び、周囲温度と残り運転時間との関係を定める換算表に基づいて、残り運転時間を決定することになるが、このときからの経過時間が残り運転時間になって乾燥運転を停止したときに、被乾燥物が適正通り乾燥されているか否かは定かではない。
【００１０】
つまり、浴室内の湿度は、被乾燥物から放出される水分の影響のみならず、換気手段の換気に伴って浴室内に流入する外気の影響を受けるものであるため、浴室内の湿度が設定値以下になったときの被乾燥物の乾燥状態は、浴室内に流入する外気の湿度および温度の変動によって、異なる状態であると考えることができ、その結果、浴室内の湿度が設定値以下になったときに、残り運転時間を決定することで、被乾燥物を適正通り乾燥できるとは考え難いものである。
【００１１】
第２の従来例は、重量センサにて検出される重量の時間変化率が一定値以下になると、運転終了条件が満たされたと判別するものであるが、重量の時間変化率が一定値以下になったことを適切に判別し難い虞があった。
【００１２】
すなわち、循環手段にて通風される空気が、被乾燥物に接触して流動することになるため、被乾燥物は揺れ動くものとなる。
このように、被乾燥物が、循環手段にて通風される空気のために揺れ動くと、重量センサの検出値が増減変動することになるため、重量の時間変化率が一定値以下になったことを適切に判別し難い虞があり、結果的に、被乾燥物の過乾燥や乾燥不足を発生する虞がある。
【００１３】
すなわち、第１の従来例や第２の従来例は、乾燥運転の終了を自動的に判別するものであるが、乾燥運転の終了タイミングを適切に判別できない虞があり、その結果、被乾燥物の過乾燥や乾燥不足を発生する虞があり、改善が望まれるものであった。
【００１４】
本発明は、上記実情に鑑みて為されたものであって、その目的は、乾燥運転の終了タイミングを適切に判別できる浴室乾燥機を提供する点にある。
【課題を解決するための手段】
【００１５】
本発明の浴室乾燥機の第１特徴構成は、浴室内の空気を吸引して外部に排出する換気手段、前記浴室内の空気を吸引しかつその空気を前記浴室内に吹き出す循環手段、及び、前記循環手段にて通風される空気を加熱する空気加熱手段を備えた換気機能付暖房手段と、
前記換気機能付暖房手段の作動を制御する制御手段とが設けられ、
前記制御手段が、乾燥運転開始が指令されると、乾燥運転用の作動状態として定めた乾燥運転作動状態にて、前記換気機能付暖房手段を作動させて乾燥運転を実行し、且つ、運転終了条件が満たされると、前記乾燥運転を停止するように構成されたものであって、
前記換気手段の換気作動に伴って前記浴室内に流動する外気の絶対湿度を検出する外気湿度検出手段、及び、前記浴室内の絶対湿度を検出する浴室湿度検出手段が設けられ、
前記制御手段が、
前記前記乾燥運転を開始したのちにおいて前記浴室湿度検出手段の検出湿度が低下傾向になり、かつ、その低下傾向を示す傾きの設定時間内の変化が設定範囲内となる傾き安定状態になったときから、前記浴室湿度検出手段の検出湿度から前記外気湿度検出手段の検出湿度を減算した湿度差と、前記換気手段の換気量との積を、時間経過に伴って積算した安定後積算排水量を求めて、その安定後積算排水量が予測残排水量になると、前記運転終了条件が満たされたと判別するように構成され、且つ、
前記傾き安定状態になったときの傾きにて、前記浴室内の絶対湿度が、前記外気湿度検出手段にて検出される外気湿度又はその外気湿度に設定値を加えた判別用湿度にまで低下すると仮定して、前記傾き安定状態になったときから、前記浴室内の絶対湿度が前記外気湿度又は前記判別用湿度に低下する間に前記浴室から排出される排水量を求めて、その排水量を前記予測残排水量として定めるように構成されている点を特徴とする。
【００１６】
すなわち、制御手段が、乾燥運転を開始してから浴室内の絶対湿度が低下傾向になり、かつ、その低下傾向を示す傾きの設定時間内の変化が設定範囲内となる傾き安定状態になると、その傾きにて、浴室内の絶対湿度が、外気湿度検出手段にて検出される外気湿度又はその検出湿度に設定値を加えた判別用湿度にまで低下すると仮定して、傾き安定状態になったときから、浴室内の絶対湿度が外気湿度又は判別用湿度に低下する間に浴室から排出される排水量を求めて、その排水量を予測残排水量として定める。
【００１７】
ちなみに、傾き安定状態になったときから外気湿度又は判別用湿度に低下する間に浴室から排出される排水量は、時間経過に伴って変化すると仮定した浴室の絶対湿度から外気湿度を減算した湿度差と、換気手段の換気量との積を、時間経過に伴って積算して求めることができる。
【００１８】
そして、制御手段が、傾き安定状態になったときから、浴室内の絶対湿度から外気の絶対湿度を減算した湿度差と、換気手段の換気量との積を、時間経過に伴って積算して安定後積算排水量を求めて、その安定後積算排水量が、予測残排水量になると、運転終了条件が満たされたと判別して、乾燥運転を停止することになるため、乾燥運転の終了タイミングを適切に判別して、被乾燥物の過乾燥や乾燥不足を抑制できるのである。
【００１９】
説明を加えると、乾燥運転が行われると、被乾燥物から水分が放出されるため、浴室内の絶対湿度は、浴室内に流入する外気に被乾燥物からの放出された水分を加えた値に相当することになり、浴室内の絶対湿度と外気の絶対湿度との湿度差は、被乾燥物から放出される水分量に対応する値であり、その湿度差に対応する水分量が、換気手段の換気に伴って浴室外に順次排出されることになる。
【００２０】
このため、安定後積算排水量は、傾き安定状態になってから現時点に至るまでの間において、被乾燥物から放出されて浴室外に排出された水分量に相当する値である。
【００２１】
浴室の絶対湿度は、上述した通り、浴室内に流動する外気に被乾燥物から放出された水分を加えた値に相当するものであるから、乾燥運転が開始されると、被乾燥物から放出される水分量が次第に増加することになるため、浴室の絶対湿度は次第に増加することになる。
【００２２】
そして、被乾燥物の量が多くて、それから放出される単位時間当たりの水分量が多い場合には、浴室の絶対湿度は、飽和状態にまで増加して、その状態を維持することになり、その後、被乾燥物からの放出される単位時間当たりの水分量が少なくなると、浴室の絶対湿度は、次第に低下することになり、最終的には、浴室内に流入する外気の絶対湿度又はその絶対湿度よりも少し高い湿度に低下することになる。
ちなみに、乾燥運転の終了時点においては、被乾燥物からの水分の放出は少なくなるが、被乾燥物の材質、厚み、浴室内における設置位置によって乾燥状態が異なるため、水分の放出はなくならない。また、浴室の床面等に水滴が残っている場合もあるため、一般には、乾燥運転の終了時点において、浴室の絶対湿度が、浴室内に流動する外気の絶対湿度よりも少し高い湿度になることが多い。
【００２３】
このように、一般には、浴室の絶対湿度は、乾燥運転を開始すると、飽和状態にまで増加した後、次第に低下することになるが、被乾燥物の量が少なくて、それから放出される単位時間当たりの水分量が少ない場合には、浴室の絶対湿度は、飽和状態にまで増加することなく、一旦上昇した後、次第に低下することになる。
つまり、浴室の絶対湿度は、被乾燥物の量の多少に拘わらず、乾燥を開始すると次第に増加し、その後、乾燥が進むと低下することになるのである。
【００２４】
そして、本発明者の鋭意研究の結果、浴室の絶対湿度は、低下傾向になったのち、その傾きが安定状態となり、その後、その傾き安定状態で、浴室内に流動する外気の絶対湿度又はその絶対湿度よりも少し高い湿度の近くまで、低下することが判明した。
ちなみに、浴室の絶対湿度が、浴室内に流動する外気の絶対湿度又はその絶対湿度よりも少し高い湿度に近づいたのちにおいては、浴室の絶対湿度は、それ以前よりも緩やかな傾きに変化しながら、浴室内に流動する外気の絶対湿度又はその絶対湿度よりも少し高い湿度にまで低下することになる。
【００２５】
このことを利用して、傾き安定状態になったときの傾きにて、浴室内の絶対湿度が、外気湿度検出手段にて検出される外気湿度又はその外気湿度に設定値を加えた判別用湿度にまで低下すると仮定して、傾き安定状態になったときから、浴室内の絶対湿度が外気湿度又は判別用湿度に低下する間において、浴室から排出される排水量を求めて、その排水量を予測残排水量として定めれば、予測残排水量を、傾き安定状態の後において、乾燥運転より浴室から排出すべき排水量として定めることができる。
【００２６】
したがって、傾き安定状態になったときから、安定後積算排水量を求めて、安定後積算排水量が予測残排水量になると、運転終了条件が満たされたと判別して、乾燥運転を停止することにより、乾燥運転の終了タイミングを適切に判別して、被乾燥物の過乾燥や乾燥不足を抑制できるのである。
【００２７】
要するに、本発明の第１特徴構成によれば、乾燥運転の終了タイミングを適切に判別できる浴室乾燥機を提供できる。
【００２８】
本発明の第２特徴構成は、上記第１特徴構成に加えて、
前記乾燥運転作動状態が、前記乾燥運転の開始から終了まで、前記換気手段、前記循環手段、及び、前記空気加熱手段を作動させて温風乾燥運転を行う条件に定められている点を特徴とする。
【００２９】
すなわち、乾燥運転の開始から終了まで、換気手段、循環手段、及び、空気加熱手段を作動させて温風乾燥運転を行う形態で、乾燥運転が実行されることになる。
このように、乾燥運転の開始から終了まで、温風乾燥運転を行う形態で、乾燥運転が実行されるものであるから、被乾燥物を極力迅速に乾燥することができるのである。
【００３０】
要するに、本発明の第２特徴構成によれば、上記した第１特徴構成による作用効果に加えて、被乾燥物を極力迅速に乾燥することができる浴室乾燥機を提供できる。
【００３１】
本発明の第３特徴構成は、上記第１特徴構成に加えて、
前記乾燥運転作動状態が、前記乾燥運転を開始してから前記浴室内の絶対湿度が傾き安定状態になるまでを乾燥初期として、その乾燥初期及び乾燥終期においては、前記換気手段、前記循環手段、及び、前記空気加熱手段を作動させる温風乾燥運転を行い、前記乾燥初期と前記乾燥終期との間の乾燥中期においては、前記換気手段及び前記循環手段を作動させ且つ前記空気加熱手段を停止させる通風乾燥運転を行う条件に定められている点を特徴とする。
【００３２】
すなわち、乾燥運転を開始してから前記浴室内の絶対湿度が傾き安定状態になるまでの乾燥初期、及び、乾燥終期においては、換気手段、循環手段、及び、空気加熱手段を作動させて温風乾燥運転を行う形態で、乾燥運転が実行される。
そして、乾燥初期と乾燥終期との間の乾燥中期では、換気手段及び循環手段を作動させ且つ空気加熱手段を停止させる通風乾燥運転を行う形態で、乾燥運転が実行される。
【００３３】
したがって、乾燥運転を開始してから浴室内の絶対湿度が傾き安定状態になるまでの乾燥初期においては、温風乾燥運転を行うことにより、被乾燥物の初期乾燥を的確に行うようにしながら、乾燥中期においては、通風乾燥運転を行うことにより、省エネを図ることができるのであり、しかも、乾燥終期においては、温風乾燥運転を行うことにより、被乾燥物を適正な乾燥状態に仕上げることこができるのである。
【００３４】
要するに、本発明の第４特徴構成によれば、上記した第１特徴構成による作用効果に加えて、省エネを図るようにしながら、被乾燥物を適正な乾燥状態に仕上げることができる浴室乾燥機を提供できる。
【図面の簡単な説明】
【００３５】
【図１】浴室乾燥システムの概略図
【図２】浴室乾燥機の縦断正面図
【図３】浴室リモコンの正面図
【図４】乾燥用空気の吹出状態を示す概略図
【図５】標準運転の単位時間排水量の変化を示す図
【図６】スピード運転の単位時間排水量の変化を示す図
【図７】省エネ運転の単位時間排水量の変化を示す図
【図８】スピード運転用換気量設定情報を示す表
【図９】限界除湿量設定情報を示す表
【図１０】予測温風乾燥時間設定情報を示す表
【図１１】省エネ運転換気量設定情報を示す表
【図１２】乾燥機用の制御手段の制御作動を示すフローチャート
【発明を実施するための形態】
【００３６】
以下、図面に基づいて、本発明の実施の形態を説明する。
〔第１実施形態〕
図１に示すように、浴室乾燥機Ａが、浴室Ｙの天井部に備えられ、浴室乾燥機Ａに対して熱媒を循環供給する熱源機Ｎが、浴室Ｙの外部に設けられて、浴室乾燥機Ａから乾燥用空気を吹き出しかつ浴室内を換気する浴室乾燥システムが構成されている。
ちなみに、浴室乾燥機Ａは、後述の如く、暖房機能、換気機能、涼風機能、及び、ミスト噴出機能も備えている。
【００３７】
浴室Ｙの内部には、浴室乾燥機Ａの運転を制御する制御手段としての乾燥機用の制御手段１に各種の情報を指令する浴室リモコン２が設置され、また、熱源機Ｎの運転を制御する熱源機用の制御手段３に各種の情報を指令する熱源機用リモコン４が設けられている。
尚、例示はしないが、一般には、浴室Ｙに隣接する脱衣室にも、浴室リモコン２と同様に構成された脱衣室リモコンが装備されることになる。
【００３８】
乾燥機用の制御手段１と熱源機用の制御手段３とは、各種の情報を通信自在に接続されており、例えば、浴室リモコン２にて乾燥運転指令が乾燥機用の制御手段１に指令されると、乾燥機用の制御手段１が熱源機用の制御手段３に熱媒要求指令を通信し、また、乾燥機用の制御手段１が乾燥運転を停止する場合には、乾燥機用の制御手段１が熱源機用の制御手段３に熱媒不要指令を通信するように構成されている。
熱源機用の制御手段３は、熱媒要求指令が指令されると、熱媒往き管５及び熱媒戻り管６を通して、加熱した熱媒を浴室乾燥機Ａに循環供給する熱媒供給運転を実行し、熱媒不要指令が指令されると、熱媒供給運転を停止することになる。
【００３９】
熱源機Ｎは、詳述はしないが、熱媒を循環供給する機能に加えて、一般給湯栓等に対する給湯機能を備えるものであって、熱源機用リモコン４にて運転指令が指令されているときに、給湯要求指令があるときには、給湯運転を行うように構成されている。
ちなみに、熱源機用リモコン４は、通常は、台所や洗面所等に装備されることになる。
【００４０】
図２に示すように、浴室乾燥機Ａは、浴室Ｙの天井Ｙａの裏側に設置される本体ケーシング７と、浴室Ｙの天井Ｙａの表側に設置されるグリル板８とを備えている。
本体ケーシング７の内部には、グリル板８に形成した吸引口Ｋを通して浴室Ｙ内の空気を吸引し、吸引した空気を浴室Ｙ内に向けて送風路Ｓを通して吹き出す循環手段としての循環ファン９、その循環ファン９にて通風される空気を加熱する空気加熱手段として空気加熱用熱交換器１０、上述した吸引口Ｋを通して浴室Ｙ内の空気を吸引して外部に排出する換気手段としての換気ファン１１、給水路１２を通して供給される湯水を浴室Ｙ内にミスト状に噴出する複数のミストノズル１３、それらミストノズル１３から噴出される湯水を加熱するためのミスト用熱交換器１４、及び、送風路Ｓから吹き出される空気の吹出方向を変更する可動ルーバ１５等が装備されている。
【００４１】
空気加熱用熱交換器１０は、縦向き姿勢の熱交換部分１０Ａと、横倒れ姿勢の熱交換部分１０Ｂとを備え、熱源機Ｎの熱媒往き管５に接続された熱媒供給管１６を通して熱媒が供給され、そして、熱交換済みの熱媒を熱媒排出管１７を通して熱源機Ｎに接続された熱媒戻り管６に戻すように構成されている。
熱媒供給管１６には、熱媒供給を断続する熱動弁１８が設けられており、この熱動弁１８は、浴室Ｙの暖房運転や乾燥運転を行うときには、開かれることになる。
【００４２】
熱媒供給管１６における熱動弁１８の設置箇所よりも上手側箇所から、ミスト用供給管１６Ａが分岐されている。このミスト用供給管１６Ａは、上述したミスト用熱交換器１４を経由したのち熱媒排出管１７に接続されている。
また、上述した給水路１２が、ミスト用熱交換器１４を経由してミストノズル１３に接続されるように配管されており、ミストノズル１３に供給される湯水がミスト用熱交換器１４にて加熱されるように構成されている。
【００４３】
給水路１２が、ミスト用熱交換器１４を通過したのち、２つの分岐管１２Ａ、１２Ｂに分岐され、一方の分岐管１２Ａには一つのミストノズル１３が接続され、他方の分岐管１２Ｂには２つのミストノズル１３が接続されている。
各分岐管１２Ａ、１２Ｂには、ミスト用電磁弁１９Ａ、１９Ｂが設けられており、これらミスト用電磁弁１９Ａ、１９Ｂを選択的に開閉させることによって、３つのミストノズル１３からのミスト噴出状態を調整できるように構成されている。
給水路１２には、給水を断続する給水電磁弁２０が設けられており、この給水電磁弁２０は、ミストノズル１３からミストを噴出するミスト運転を行うときには、開かれることになる。
【００４４】
ちなみに、給水路１２におけるミスト用熱交換器１４と２つの分岐管１２Ａ、１２Ｂの分岐箇所との間に位置する部分に、排水路２１が接続され、その排水路２１に、排水電磁弁２２が設けられており、例えば、ミスト運転を開始する前に、設定時間の間、排水電磁弁２２を開くことにより、ミスト運転を開始したときに冷たい湯水がミストノズル１３に供給されることを抑制できることになる。図中、２３は、逆止弁である。
【００４５】
また、ミスト用供給管１６Ａには、熱媒供給量を調整する電磁式の比例弁２４が設けられている。この比例弁２４は、ミストノズル１３からミストを噴出するミスト運転を行うときには、熱媒を通流する状態に開かれるものであり、また、ミストノズル１３に供給される湯水の温度が目標温度になるように開度が変更調整されるように構成されている。
【００４６】
換気ファン１１は、本体ケーシング７の内部に形成した換気用通路Ｔを通して吸引作用して、グリル板８の吸引口Ｋより浴室内の空気を吸引し、そして、屋外に延出される排気ダクト２５を通して、吸引した空気を外部に排気するように構成されている。
ちなみに、グリル板８の吸引口Ｋは、循環ファン９による浴室内からの空気の吸引と、換気ファン１１による浴室内からの空気の吸引とに兼用されているため、後述の如く、換気ファン１１の換気量が変更されると、循環ファン９を同じ回転速度で回転させても、循環量が変化することになる。
【００４７】
浴室リモコン２には、図３に示すように、種々の情報を表示するための表示部２６、ミストサウナ運転を指令するミストスイッチ２７、運転時間を変更設定するためのタイマー設定スイッチ２８、可動ルーバ１５の向き変更を指令する風向スイッチ２９、乾燥運転を指令する乾燥指令手段としての乾燥スイッチ３０、浴室Ｙの暖房を行う暖房運転を指令する暖房スイッチ３１、換気ファン１１による換気運転を指令する換気スイッチ３２、循環ファン９による涼風運転を指令する涼風スイッチ３３、及び、各種の運転を停止する停止指令を指令する停止スイッチ３４が装備され、さらに、浴室リモコン２には、乾燥運転としてのスピード運転を選択するスピード選択スイッチ３０Ａ、及び、乾燥運転としての省エネ運転を選択する省エネ選択スイッチ３０Ｂが設けられている。
尚、例示はしないが、脱衣室に装備される脱衣室リモコンも、浴室リモコン２と同様に構成されることなる。
【００４８】
従って、本実施形態の浴室乾燥機Ａは、浴室リモコン２や脱衣室リモコンの指令に基づいて、乾燥運転、暖房運転、換気運転、ミスト運転、涼風運転を行えるように構成されている。
すなわち、乾燥機用の制御手段１が、浴室リモコン２や脱衣室リモコンの指令に基づいて、乾燥運転、暖房運転、換気運転、ミスト運転、涼風運転を行なうべく、循環ファン９や換気ファン１１等の機器類の作動を制御するように構成されている。
【００４９】
具体的に説明すると、乾燥スイッチ３０にて乾燥運転が指令されると、基本的には、熱源機Ｎからの熱媒を空気加熱用熱交換器１０に通流させた状態で、循環ファン９及び換気ファン１１を作動させることにより、浴室内の空気を吸引して外部に排出し且つ浴室内の空気を吸引して加熱して乾燥用空気として浴室Ｙの内部の乾燥対象領域Ｅに吹き出す温風乾燥運転形態にて乾燥運転が行われる。
【００５０】
つまり、乾燥運転としては、標準乾燥運転と、スピード選択スイッチ３０Ａにて選択されるスピード運転と、省エネ選択スイッチ３０Ｂにて選択される省エネ運転とがあり、標準乾燥運転やスピード運転においては、乾燥運転の開始から終了まで、上述の温風乾燥運転が実行され、省エネ運転においては、乾燥初期及び乾燥終期においては、上述の温風乾燥運転が行われ、かつ、乾燥初期と乾燥終期との間の乾燥中期においては、循環ファン９及び換気ファン１１を作動させ、且つ、空気加熱用熱交換器１０に対する熱媒の通流を停止させた通風乾燥運転が行われることになるが、その詳細は後述する。
【００５１】
また、上述の乾燥対象領域Ｅは、本実施形態においては、図１に示すように、浴室乾燥機Ａの直下方に相当する領域であり、乾燥運転を行うときには、乾燥対象領域Ｅに、洗濯物等の被乾燥物が乾燥に適した姿勢で置かれることになる。
つまり、乾燥対象領域Ｅには、被乾燥物を支持するための一対の棒状体Ｂが、浴室Ｙの対向する壁面の間に設けられて、これら棒状体Ｂに、被乾燥物を支持させることになる。
尚、棒状体Ｂは、浴室Ｙの壁面に設けた受具にて、その両端が支持された状態で架設されるものであって、非使用時には、受具から外して収納できるようになっている。
【００５２】
ちなみに、本実施形態の浴室乾燥機Ａは、上述の如く、熱源機Ｎからの熱媒を空気加熱用熱交換器１０に通流させた状態で、循環ファン９及び換気ファン１１を作動させることにより乾燥運転を行うものであり、本実施形態では、浴室内の空気を吸引して外部に排出し且つ浴室内の空気を吸引して加熱したのち暖房用空気として浴室内に吹き出す換気機能付暖房手段Ｊが、循環ファン９、空気加熱用熱交換器１０、及び、換気ファン１１を主要部として構成されることになる。
【００５３】
暖房スイッチ３１にて暖房運転が指令されると、換気ファン１１を停止させかつ熱源機Ｎからの熱媒を空気加熱用熱交換器１０に通流させた状態で、循環ファン９を作動させることにより、浴室内の空気を吸引して加熱して暖房用空気として浴室内に吹き出す暖房運転が行われる。
【００５４】
換気スイッチ３２にて換気運転が指令されると、循環ファン９を停止しかつ空気加熱用熱交換器１０に対する熱媒の通流を停止させた状態で、換気ファン１１を作動させることにより、浴室内の空気を吸引して外部に排出する換気運転が行われる。
【００５５】
涼風スイッチ３３にて涼風運転が指令されると、換気ファン１１を停止しかつ空気加熱用熱交換器１０に対する熱媒の通流を停止させた状態で、循環ファン９を作動させることにより、浴室内の空気を吸引して浴室内に吹き出す涼風運転が行われる。
【００５６】
ミストスイッチ２７にてミストサウナ運転が指令されると、熱源機Ｎからの熱媒をミスト用熱交換器１４に通流させる状態にして、給水電磁弁２０を開くことにより、給水路１２からの湯水を加熱して噴出するミストサウナ運転が行われる。
【００５７】
図１及び図４に示すように、上述した可動ルーバ１５は、向き変更用の電動モータ３５によって、水平方向に沿う回動軸心Ｚ周りで往復揺動操作されるように構成されるものであり、回動軸心Ｚが、乾燥対象領域Ｅに設置される棒状体Ｂの長手方向に平行な方向となるように構成されている。
【００５８】
つまり、可動ルーバ１５は、回動軸心方向に沿って長尺状の筒状に形成されて、回転軸心方向に沿った広範囲に空気を吹き出すことができるように構成されている。
そして、その可動ルーバ１５の一端側に、電動モータ３５が配設されて、その電動モータ３５が、図４に示すように、乾燥用空気の吹出方向を、複数の乾燥用吹出方向に変更するように構成されている。
したがって、本実施形態においては、可動ルーバ１５及び電動モータ３５にて、吹出方向変更手段Ｆが構成されている。
【００５９】
また、本実施形態においては、乾燥用空気の吹出方向が、４つの吹出方向Ｌ４〜Ｌ７に変更されるものとして説明する。そして、４つの吹出方向Ｌ４〜Ｌ７のうち、Ｌ６の方向が、真下を向かうように定められ、Ｌ５の方向が、左下を向かうように定められ、Ｌ４の方向が、Ｌ５の方向よりもさらに左を向くように定められ、Ｌ７の方向が、右下を向かうように定められている。
以下の記載において、Ｌ６の方向を真下方向、Ｌ５の方向を左下方向、Ｌ４の方向を左方向、Ｌ７の方向を右下方向と呼称する。
【００６０】
乾燥機用の制御手段１は、暖房運転や涼風運転等において、風向スイッチ２９の指令により向き変更が指令されると、可動ルーバ１５の向きを、４つの吹出方向Ｌ４〜Ｌ７に順次向きを変更するように構成されている。
【００６１】
乾燥機用の制御手段１は、乾燥運転においては、可動ルーバ１５の向きを自動的に調整するように構成されている。
すなわち、乾燥スイッチ３０により乾燥運転の開始が指令されると、乾燥機用の制御手段１は、標準乾燥運転、スピード運転、及び、省エネ運転のいずれにおいても、乾燥用空気の吹出方向が真下方向Ｌ６となるように、可動ルーバ１５の向きを変更する吹出方向初期設定処理を実行することになる。
【００６２】
そして、標準運転や省エネ運転においては、その後乾燥運転が終了するまで、乾燥用空気の吹出方向が真下方向Ｌ６となるようにする状態を維持することになる。
また、スピード運転においては、乾燥機用の制御手段１は、乾燥運転の途中において、後述の如く、乾燥用空気の吹出方向を乾燥効率が向上する方向に調整する吹出方向調整処理を実行するように構成されている。
【００６３】
ちなみに、可動ルーバ１５は、例示はしないが、送風路Ｓを閉じることになる横向き姿勢（以下、閉じ姿勢と略称）にも操作できるように構成されるものであって、乾燥機用の制御手段１は、乾燥運転の終了等により、循環ファン９を作動させないときには、可動ルーバ１５を閉じ姿勢に切換えるように構成されている。
【００６４】
図２に示すように、本体ケーシング７の内部に、グリル板８の吸引口Ｋを通して吸引される浴室内の空気の絶対湿度及び相対湿度を検出する湿度検出センサ３６、及び、グリル板８の吸引口Ｋを通して吸引される浴室内の空気の温度を検出する温度検出手段としの温度センサ３７が設けられている。
ちなみに、湿度検出センサ３６は、浴室内の絶対湿度を検出する浴室湿度検出手段として機能するものであるが、後述の如く、乾燥機用の制御手段１が、乾燥運転の開始直後の検出値を、換気ファン１１の換気作動に伴って浴室内に流動する外気の絶対湿度として記憶するため、外気湿度検出手段としても機能することになる。
【００６５】
次に、乾燥運転について説明すると、乾燥機用の制御手段１は、乾燥スイッチ３０にて乾燥運転が指令されると、乾燥運転のための作動状態として定めた乾燥運転作動状態にて、換気機能付暖房手段Ｊを作動させて乾燥運転を実行することになり、そして、運転終了条件が満たされると、乾燥運転を停止するように構成されている。
【００６６】
ちなみに、本実施形態においては、乾燥運転として、上述の如く、標準乾燥運転、スピード運転、及び、省エネ運転を備えるものであるため、それらの運転に対応して定めた乾燥運転作動状態にて換気機能付暖房手段Ｊを作動させて乾燥運転を実行するように構成されている。
【００６７】
また、本実施形態においては、乾燥機用の制御手段１が、乾燥運転を開始すると、湿度検出センサ３６の検出湿度（絶対湿度）を設定時間（例えば、１秒）ごとにサンプリングするように構成され、そして、乾燥運転を開始した直後において、湿度検出センサ３６にて検出される検出湿度（絶対湿度）、及び、温度センサ３７にて検出される検出温度を、初期検出湿度、及び、初期検出温度として記憶するように構成されている。
また、乾燥機用の制御手段１は、乾燥運転を開始した直後において、湿度検出センサ３６にて検出される相対湿度も、初期検出湿度として記憶するように構成されている。
【００６８】
ちなみに、初期検出湿度（絶対湿度、相対湿度）は、乾燥運転を開始したときに、換気に伴って外部から浴室Ｙに流れ込む外気の湿度（絶対湿度、相対湿度）を示し、同様に、初期検出温度は、乾燥運転を開始したときに、換気に伴って外部から浴室Ｙに流れ込む外気の温度を示すことになる。
つまり、初期検出湿度（絶対湿度、相対湿度）は、換気ファン１１の換気作動に伴って浴室内に流動する外気の絶対湿度及び相対湿度に対応し、初期検出温度は、換気ファン１１の換気作動に伴って浴室内に流動する外気の温度に対応することになる。
【００６９】
また、運転終了条件が満たされたことの判別は、本実施形態においては、乾燥機用の制御手段１が、乾燥運転を開始のちにおいて湿度検出センサ３６の検出湿度（絶対湿度）が低下傾向になり、かつ、その低下傾向を示す傾きの設定時間内の変化が設定範囲内となる傾き安定状態になったときから、設定時間（例えば、１秒）ごとにサンプリングした検出湿度（絶対湿度）から初期湿度（絶対湿度）を減算した湿度差と、換気ファン１１の換気量（上記サンプリング設定時間内の換気量）との積を、時間経過に伴って積算した安定後積算排水量ＳＺを求めて、その安定後積算排水量ＳＺが予測残排水量ＷＹになると、運転終了条件が満たされた判別するように構成されるものであって、その詳細は後述する。
【００７０】
尚、以下の説明においては、乾燥運転を開始のちにおいて湿度検出センサ３６の検出湿度（絶対湿度）が低下傾向になった時点を、湿度低下傾向時点ＨＰと記載し、低下傾向を示す傾きの設定時間内の変化が設定範囲内となる傾き安定状態になったときを、湿度低下安定時点ＨＤと記載する（図５〜図７参照）。
また、設定時間（例えば、１秒）ごとにサンプリングした検出湿度（絶対湿度）から絶対湿度を減算した湿度差と、換気ファン１１の換気量（上記サンプリング設定時間内の換気量）との積を、以下の説明においては、単位時間排水量と記載する。
【００７１】
乾燥機用の制御手段１は、浴室リモコン２や脱衣室リモコンにおけるスピード選択スイッチ３０Ａや省エネ選択スイッチ３０Ｂが操作されることなく、乾燥スイッチ３０が操作されると、乾燥運転として標準乾燥運転を実行し、スピード選択スイッチ３０Ａが操作されたのち、引き続いて乾燥スイッチ３０が操作されると、乾燥運転としてスピード運転を実行し、また、省エネ選択スイッチ３０Ｂが操作されたのち、引き続いて乾燥スイッチ３０が操作されると、乾燥運転として省エネ運転を実行するように構成されている。
【００７２】
ちなみに、標準乾燥運転やスピード運転においては、乾燥運転の運転時間を設定する必要はないが、省エネ運転においては、タイマー設定スイッチ２８にて、乾燥運転の運転時間を設定することになる。
つまり、省エネ運転においては、後述の如く、乾燥中期の通風乾燥運転から乾燥終期の温風乾燥運転への切換タイミングの判断のために、タイマー設定スイッチ２８にて設定された運転時間が利用されるように構成されている。尚、この省エネ運転においても、上述した運転終了条件が満たされると、乾燥運転を終了することになる。
【００７３】
標準乾燥運転及びスピード運転の乾燥運転作動状態は、乾燥運転の開始から終了まで、換気ファン１１及び循環ファン９を通風作動させかつ空気加熱用熱交換器１０を加熱作動させて温風乾燥運転を行う状態に定められているが、標準乾燥運転の作動条件と、スピード運転の作動条件とは、後述の如く、異なる条件に設定されている。
【００７４】
省エネ運転の乾燥運転作動状態は、乾燥初期及び乾燥終期においては、換気ファン１１及び循環ファン９を通風作動させかつ空気加熱用熱交換器１０を加熱作動させて温風乾燥運転を行い、乾燥初期と乾燥終期との間の乾燥中期においては、循環ファン９及び換気ファン１１を作動させかつ空気加熱用熱交換器１０の加熱作動を停止させて通風乾燥運転を行う状態に定められるものであるが、温風乾燥運転での作動条件や、通風乾燥運転での作動条件が、後述の如く設定されることになる。
【００７５】
標準乾燥運転における乾燥運転作動状態、つまり、乾燥運転を開始して終了するまで実行する温風乾燥運転の作動条件が、乾燥運転を開始して終了するまで、循環ファン９、換気ファン１１、及び、空気加熱用熱交換器１０を同じ状態で作動させる条件に設定されている。
本実施形態においては、乾燥運転を開始してから終了するまで、循環ファン９を、例えば、１３００回／分で回転させ、かつ、空気加熱用熱交換器１０に対して、例えば、３Ｌ／分の通流量で熱媒を通流させ、かつ、換気ファン１１を、例えば、換気量が１．５ｍ3となる回転速度で回転させる条件に設定されている。
【００７６】
図５は、標準乾燥運転にて乾燥運転を行ったときの、単位時間排水量の時間経過に伴う変化を示すものであり、Ｊ１は、衣類乾燥量が少ない場合を示し、Ｊ２は、衣類乾燥量が多い場合を示すものである。
尚、標準乾燥運転は、乾燥運転の開始から終了まで、換気ファン１１を同じ状態で作動させるものであるから、図５は、浴室Ｙの絶対湿度の時間経過に伴う変化を示す図に対応する。
【００７７】
スピード運転における乾燥運転作動状態、つまり、乾燥運転を開始して終了するまで実行される温風乾燥運転の作動条件が、循環ファン９、及び、空気加熱用熱交換器１０については、乾燥運転を開始してから終了するまで、同じ状態で作動させ、かつ、換気ファン１１については、乾燥運転を開始したのちにおいて湿度検出センサ３６の検出湿度（絶対湿度）が湿度低下安定時点ＨＤになるまでは、標準乾燥運転における換気量と同じ初期換気量となるように、換気ファン１１を作動させ、湿度検出センサ３６の検出湿度（絶対湿度）が湿度低下安定時点ＨＤになったのちは、換気ファン１１の換気量をスピード運転用換気量に変更する条件に設定されている。
【００７８】
湿度検出センサ３６の検出湿度（絶対湿度）が湿度低下傾向時点ＨＰになったことや、湿度低下安定時点ＨＤになったことの判別について説明すると、乾燥機用の制御手段１は、上述の如く、乾燥運転を開始したのちは、乾燥運転を終了するまで、湿度検出センサ３６の検出湿度を、設定時間（例えば、１秒）ごとにサンプリングするように構成されている。
【００７９】
そして、乾燥機用の制御手段１は、先にサンプリングした検出湿度よりも次にサンプリングした検出湿度が設定値以上低くなる状態が、設定時間（例えば、３秒）継続すると、検出湿度（絶対湿度）が低下傾向になった湿度低下傾向時点ＨＰと判別する。
その後、その低下傾向を示す傾きの変化が、設定範囲内となる状態が、設定時間（例えば、５秒）継続すると、傾き安定状態になった湿度低下安定時点ＨＤであると判別する。
つまり、先にサンプリングした検出湿度と次にサンプリングした検出湿度との差（以下、湿度差と記載）を求めることを、検出湿度をサンプリングするごとに繰り返し、時系列的に並ぶ複数の湿度差が、設定範囲内にある状態が、設定時間継続すると、傾き安定状態であると判別する。
【００８０】
スピード運転用換気量は、乾燥運転を開始した直後において、湿度検出センサ３６にて検出される初期検出湿度（相対湿度）、及び、温度センサ３７にて検出される初期検出温度と、それら初期検出湿度及び初期検出湿度とスピード運転換気量との関係を示すスピード運転換気量設定情報（図８参照）とに基づいて、定められることになる。
つまり、乾燥機用の制御手段１は、スピード運転換気量設定情報を予め記憶しており、
初期検出湿度（相対湿度）及び初期検出温度と、スピード運転換気量設定情報とに基づいて、スピード運転換気量を求めるように構成されている。
【００８１】
スピード運転換気量設定情報は、本実施形態においては、図８に示すように、初期検出温度を３段階に区分し、それら３段階の夫々に対応して、初期検出湿度を３段階に区分して、計９段階の区分の夫々に対して、換気量を設定しているが、初期検出温度を区分する段階数や、初期検出湿度を区分する段階数は、変更できる。
また、本実施形態においては、初期検出湿度として、相対湿度を用いる場合を例示するが、相対湿度に代えて、絶対湿度を用いてもよいことは勿論である。
【００８２】
ちなみに、本実施形態においては、スピード運転における温風乾燥運転の作動条件が、乾燥運転を開始してから終了するまで、循環ファン９を、例えば、１３００回／分で回転させ、かつ、空気加熱用熱交換器１０に対して、例えば、３Ｌ／分の通流量で熱媒を通流させ、そして、換気ファン１１については、乾燥運転を開始したのち湿度低下安定時点ＨＤになるまでは、初期換気量として、例えば、換気量が１．５ｍ3となる回転速度で回転させ、湿度低下安定時点ＨＤになったのちは、スピード運転用換気量になる回転速度で回転させる条件に設定されている。
【００８３】
また、乾燥機用の制御手段１は、換気ファン１１の換気量をスピード運転用換気量に変更することが適正であるか否かを判断するように構成されている。
つまり、乾燥機用の制御手段１は、換気ファン１１の換気量をスピード運転用換気量に変更する前に、設定時間（例えば、１秒）ごとにサンプリングされる湿度検出センサ３６の検出湿度（絶対湿度）から初期検出湿度（絶対湿度）を減算した湿度差と、換気ファン１１の換気量（上記サンプリング設定時間内の換気量）との積を求めて記憶する。
【００８４】
次に、換気ファン１１の換気量をスピード運転用換気量に変更して、その後設定定時間（例えば、２分）経過するまで待機する。そして、設定時間が経過すると、設定時間（例えば、１秒）ごとにサンプリングされる湿度検出センサ３６の検出湿度（絶対湿度）に基づいて、その時点での絶対湿度を求める。
次に、その絶対湿度から初期検出湿度（絶対湿度）を減算した湿度差と、スピード運転用換気量との積を求めて、その積が、換気量をスピード運転用換気量に変更する前に記憶した積よりもよりも大きいか否かを判別して、大きいときには、変更したスピード運転用換気量に維持し、大きくないときには、変更前の換気量に戻すように構成されている。
【００８５】
つまり、被乾燥物の差異等の乾燥条件の相違によって、換気ファン１１の換気量をスピード運転用換気量に変更しても、必ずしも乾燥効率が増加しない場合があるため、換気ファン１１の換気量をスピード運転用換気量に変更しても乾燥効率が増加しないときには、換気ファン１１の換気量を初期換気量に戻すことにより、乾燥効率の低下を抑制するようにしてある。
尚、乾燥用の制御手段１が、上記の如く、換気ファン１１の換気量をスピード運転用換気量に変更するために実行する処理を、以下の説明においては、スピード運転用換気量変更処理と記載する。
【００８６】
また、乾燥機用の制御手段１は、スピード運転においては、上述の如く、乾燥運転の途中において、乾燥用空気の吹出方向を乾燥効率が向上する方向に調整する吹出方向調整処理を実行することになる。
この吹出方向調整処理は、乾燥運転を開始したのち湿度低下傾向時点ＨＰになったときに実行されるものであって、先ず、乾燥空気の吹出方向を、真下方向Ｌ６に向けた状態において、設定時間（例えば、１秒）ごとにサンプリングされる湿度検出センサ３６の検出湿度（絶対湿度）に基づいて、先にサンプリングした検出湿度と次にサンプリングした検出湿度との差（以下、絶対湿度差と略称）を求めて、その絶対湿度差を記憶する。
【００８７】
次に、乾燥用空気の吹出方向を、真下方向Ｌ６から左下方向Ｌ５に変更して、その後設定定時間（例えば、２分）経過するまで待機し、その時点での絶対湿度度を求める。
そして、その絶対湿度差が、予め記憶した絶対湿度差よりも小さいときには、その乾燥用空気の吹出方向に維持することになり、その絶対湿度差が、予め記憶した絶対湿度差よりも小さくないときには、乾燥用空気の吹出方向を、真下方向Ｌ６に戻すことになる。
【００８８】
乾燥用空気の吹出方向を、真下方向Ｌ６に戻したのち、設定定時間（例えば、２分）経過するまで待機し、その時点での絶対湿度度を求める。
次に、乾燥用空気の吹出方向を、真下方向Ｌ６から右下方向Ｌ７に変更して、その後設定定時間（例えば、２分）経過するまで待機し、その時点での絶対湿度度を求める。
そして、その絶対湿度差が、予め記憶した絶対湿度差よりも小さいときには、その乾燥用空気の吹出方向に維持することになり、その絶対湿度差が、予め記憶した絶対湿度差よりも小さくないときには、乾燥用空気の吹出方向を、真下方向Ｌ６に戻すことになる。
【００８９】
すなわち、乾燥用空気の吹出方向を、絶対湿度差が小さくなる方向に向けることが、被乾燥物の全体を良好に乾燥できるものであるから、乾燥用空気の吹出方向が、絶対湿度差が小さくなる方向となるようにすべく、乾燥用空気の吹出方向が変更されることになる。
つまり、通常は、乾燥用空気の吹出方向を真下方向Ｌ６に向けたときが、乾燥効率の向上を図れるものであるが、被乾燥物の干し方の変化等により、乾燥用空気の吹出方向を真下方向Ｌ６に向けたときが、必ずしも乾燥効率を向上できない場合があるため、乾燥用空気の吹出方向を調整するのである。
【００９０】
ちなみに、湿度低下傾向時点ＨＰになったときに、吹出方向調整処理とスピード運転用換気量変更処理とを実行することになるため、本実施形態は、先に、吹出方向調整処理の実行し、吹出方向調整処理が終了したのち、スピード運転用換気量変更処理を行うように構成されている。
尚、本実施形態とは逆に、先に、スピード運転用換気量変更処理を実行し、その後、吹出方向調整処理を実行する形態で実施してもよい。
【００９１】
図６は、スピード運転にて乾燥運転を行ったときの、単位時間排水量の時間経過に伴う変化を示すものであり、Ｊ３は、スピード運転を行う場合を示し、Ｊ４は、標準乾燥運転を行う場合を示すものである。
【００９２】
省エネ運転においては、乾燥運転の運転終了条件が満たされたことを判別するために求める予測残排水量ＷＹを、乾燥中期の通風乾燥運転から乾燥終期の温風乾燥運転への切換のために用いることになるで、先に、運転終了条件が満たされたことを判別する構成について説明し、その後、省エネ運転について説明する。
【００９３】
乾燥機用の制御手段１は、上述の如く、乾燥運転を開始してから乾燥運転を終了するまで、湿度検出センサ３６の検出湿度（絶対湿度）を設定時間（例えば、１秒）ごとにサンプリングすることになり、そして、設定時間（例えば、１秒）ごとにサンプリングした検出湿度（絶対湿度）から初期検出湿度（絶対湿度）を減算した湿度差と、換気ファン１１の換気量（上記サンプリング設定時間内の換気量）との積、つまり、単位時間排水量を時間経過に伴って積算した積算排水量ＳＸを求めることを、乾燥運転の開始から乾燥運転を終了するまで継続して行うことになる。
【００９４】
乾燥機用の制御手段１は、湿度低下安定時点ＨＤを判別すると、その時点の傾きにて、浴室内の湿度（絶対湿度）が、乾燥運転を開始する際に湿度検出センサ３６にて検出された初期検出湿度（絶対湿度）にまで低下すると仮定して、湿度低下安定時点ＨＤから初期湿度に低下する間に浴室Ｙから排出される排水量を求めて、その排水量を予測残排水量ＷＹとして定めるように構成されている。
ちなみに、傾き安定状態になったときから初期検出湿度（絶対湿度）に低下する間に浴室かＹら排出される排水量は、時間経過に伴って変化すると仮定した浴室Ｙの絶対湿度から初期検出湿度（絶対湿度）を減算した湿度差と、換気ファン１１の換気量との積を、時間経過に伴って積算して求めることができる。
【００９５】
ちなみに、予測残排水量ＷＹを求めるにあたって、初期湿度に設定値を加えた判別用湿度を定めて、浴室内の湿度（絶対湿度）が判別用湿度に低下すると仮定して、予測残排水量ＷＹを求めるようにしてもよい。
つまり、被乾燥物の乾燥が終了しても、浴室Ｙの壁面等には水分が付着する傾向にあるため、被乾燥物の乾燥が終了したときの、浴室Ｙの湿度（絶対湿度）が初期湿度よりも少し高めになる場合があり、このような場合には、浴室内の湿度（絶対湿度）が判別用湿度に低下すると仮定して、予測残排水量ＷＹを求めるようにするとよい。
【００９６】
そして、乾燥機用の制御手段１は、湿度低下安定時点ＨＤを判別した時点からの、単位時間排水量を時間経過に伴って積算した安定後積算排水量ＳＺが、予測残排水量ＷＹになると、運転終了条件が満たされた判別するように構成されている。
【００９７】
安定後積算排水量ＳＺは、湿度低下安定時点ＨＤになったときから、単位時間排水量を時間経過に伴って新たに積算して求めることができるが、乾燥運転の開始から積算している積算排水量ＳＸが湿度低下安定時点ＨＤになったときの値を、排出済み総排水量ＷＬとして記憶しておき、乾燥運転の開始から積算している積算排水量ＳＸから、湿度低下安定時点ＨＤになったときに記憶した排出済み総排水量を減算する形態で、求めるようにしてもよい。
【００９８】
さらに、安定後積算排水量ＳＺが予測残排水量ＷＺになったことを判別するに、湿度低下安定時点ＨＤになったときの、乾燥運転の開始から積算している積算排水量ＳＸの値を、排出済み総排水量ＷＬとして、その排出済み総排水量ＷＬに予測残排水量ＷＺを加えた値を、予測目標総排水量ＷＰとして定める。そして、乾燥運転の開始から積算している積算排水量ＳＸが予測目標総排水量ＷＰになると、運転終了条件が満たされたとして判別してもよい。
【００９９】
省エネ運転の乾燥運転作動状態は、上述の如く、乾燥初期及び乾燥終期においては、温風乾燥運転を行い、乾燥初期と乾燥終期との間の乾燥中期においては、通風乾燥運転を行う状態に定められるものであり、そして、乾燥機用の制御手段１は、乾燥初期から乾燥中期への切換、つまり、温風乾燥運転から通風乾燥運転への切換を、湿度低下安定時点ＨＤにて行なうように構成されている。
【０１００】
また、乾燥機用の制御手段１は、省エネ運転における乾燥中期の通風乾燥運転から乾燥終期温風乾燥運転への切換を、運転開始からの経過時間が、タイマー設定スイッチ２８にて設定された運転時間よりも予測温風乾燥時間だけ早い温風乾燥切換時点ＴＰなると、行なうように構成されている（図７参照）。
【０１０１】
つまり、タイマー設定スイッチ２８にて設定された運転時間は、乾燥開始から湿度低下安定時点ＨＤまでの乾燥初期、湿度低下安定時点ＨＤから温風乾燥切換時点ＴＰまでの乾燥中期、及び、予測温風乾燥時間を加えた値に相当する。
【０１０２】
予測温風乾燥時間は、図１０に示すように、上述した予測目標総排水量ＷＰと限界除湿量との関係を示す予測温風乾燥時間設定情報から求められるように構成され、限界除湿量は、図９に示すように、乾燥運転を開始した直後において、湿度検出センサ３６にて検出される初期検出湿度（相対湿度）、及び、温度センサ３７にて検出される初期検出温度と、それら初期検出湿度及び初期検出湿度と限界除湿量との関係を示す限界除湿量設定情報に基づいて求められるように構成されている。
【０１０３】
すなわち、乾燥機用の制御手段１は、予測温風乾燥時間設定情報、及び、限界除湿量設定情報を予め記憶しており、そして、初期検出湿度及び初期検出温度と、予測温風乾燥時間設定情報及び限界除湿量設定情報とに基づいて、予測温風乾燥時間を求め、求めた予測温風乾燥時間とタイマー設定スイッチ２８にて設定された運転時間とに基づいて、温風乾燥切換時点ＴＰを求めるように構成されている。
ちなみに、初期検出湿度（相対湿度）は、乾燥運転を行うときに、換気に伴って外部から浴室Ｙに流れ込む外気の湿度を示し、同様に、初期検出温度は、乾燥運転を行うときに、換気に伴って外部から浴室Ｙに流れ込む外気の温度を示すことになる。
【０１０４】
限界除湿量設定情報は、本実施形態においては、図９に示すように、初期検出温度を３段階に区分し、それら３段階の夫々に対応して、初期検出湿度を３段階に区分して、計９段階の区分の夫々に対して、限界除湿量を設定しているが、初期検出温度を区分する段階数や、初期検出湿度を区分する段階数は、各種変更できるものである。
【０１０５】
また、限界除湿量設定情報を設定するにあたり、本実施形態においては、初期検出湿度として、相対湿度を用いる場合を例示するが、相対湿度に代えて、絶対湿度を用いてもよいことは勿論である。
尚、図９においては、参考までに、各区分についての絶対湿度や飽和水蒸気量を記載しているが、これらの情報を、乾燥機用の制御手段１に記憶させる必要はない。
また、図９において、初期検出湿度が４０〜６０％に対応する絶対湿度ｇ／ｋｇは、初期検出温度が１７．５℃で、初期検出湿度が５０％に対応する値を記載している。
【０１０６】
予測温風乾燥時間設定情報は、本実施形態においては、図１０に示すように、予測目標総排水量ＷＰを３段階に区分して、９段階の限界除湿量の夫々に対して、予測目標総排水量ＷＰが３段階に異なる場合の夫々についての予測温風乾燥時間を設定する場合を例示するが、目標総排水量ＷＰを区分する段階数は各種変更できるものであり、また、限界除湿量の段階数も各種変更できるものである。
【０１０７】
省エネ運転における乾燥初期の温風乾燥運転は、上述した標準乾燥運転と同じ条件で、換気ファン１１及び循環ファン９を通風作動させかつ空気加熱用熱交換器１０を加熱作動させるように構成されている。
つまり、省エネ運転における乾燥初期の温風乾燥運転の作動条件が、本実施形態では、循環ファン９を、例えば、１３００回／分で回転させ、かつ、空気加熱用熱交換器１０に対して、例えば、３Ｌ／分の通流量で熱媒を通流させ、かつ、換気ファン１１を、例えば、換気量が１．５ｍ3となる回転速度で回転させる条件に設定されている。
【０１０８】
また、省エネ運転における通風乾燥運転の作動条件が、循環ファン９を乾燥初期の温風乾燥運転と同じ状態で作動させ、換気ファン１１の換気量については、省エネ運転換気量に変更する条件に設定されている。
【０１０９】
省エネ運転換気量は、乾燥運転を開始した直後において、湿度検出センサ３６にて検出される初期検出湿度（相対湿度）、及び、温度センサ３７にて検出される初期検出温度と、それら初期検出湿度及び初期検出湿度と省エネ運転換気量との関係を示す省エネ運転換気量設定情報（図１１参照）とに基づいて、定められることになる。
つまり、乾燥機用の制御手段１は、省エネ運転換気量設定情報を予め記憶しており、そして、初期検出湿度（相対湿度）及び初期検出温度と、省エネ運転換気量設定情報とに基づいて、省エネ運転換気量を求めて、通風乾燥を行うときに、換気ファンの換気量が省エネ運転換気量となるようにする省エネ運転用換気量変更処理を実行するように構成されている。
ちなみに、初期検出温度（相対湿度）は、乾燥運転を行うときに、換気に伴って外部から浴室Ｙに流れ込む外気の湿度を示し、同様に、初期検出温度は、乾燥運転を行うときに、換気に伴って外部から浴室Ｙに流れ込む外気の温度を示すことになる。
【０１１０】
省エネ運転換気量設定情報は、本実施形態においては、図１１に示すように、初期検出温度を３段階に区分し、それら３段階の夫々に対応して、初期検出湿度を３段階に区分して、計９段階の区分の夫々に対して、換気量を設定しているが、初期検出温度を区分する段階数や、初期検出湿度を区分する段階数は、変更できる。
また、本実施形態においては、初期検出湿度として、相対湿度を用いる場合を例示するが、相対湿度に代えて、絶対湿度を用いてもよいことは勿論である。
【０１１１】
省エネ運転における乾燥終期における温風乾燥運転は、上述した標準乾燥運転と同じ条件で、循環ファン９を通風作動させかつ空気加熱用熱交換器１０を加熱作動させ、換気ファン１１を通風乾燥運転と同じ条件で作動させるように構成されている。
つまり、省エネ運転における乾燥終期の温風乾燥運転の作動条件が、本実施形態では、循環ファン９を、例えば、１３００回／分で回転させ、かつ、空気加熱用熱交換器１０に対して、例えば、３Ｌ／分の通流量で熱媒を通流させ、かつ、換気ファン１１を、換気量が省エネ運転用換気量となる回転速度で回転させる条件に設定されている。
【０１１２】
図７は、省エネ運転にて乾燥運転を行ったときの、単位時間排水量の時間経過に伴う変化を示すものであり、Ｊ５は、スピード運転を行う場合を示し、Ｊ６は、標準乾燥運転を行う場合を示すものである。
【０１１３】
次に、図１２のフローチャートに基づいて、乾燥運転における乾燥機用の制御手段１の制御作動について説明する。
乾燥スイッチ４５にて乾燥運転が指令されると、先ず、乾燥運転開始処理を実行することになる（＃１）。
この乾燥運転開始処理は、乾燥用空気の吹出方向が真下方向Ｌ６となるように可動ルーバ１５を閉じ姿勢から揺動させ、循環ファン９及び換気ファン１１を作動させ、熱源機用の制御手段３に熱媒要求指令を通信し、熱動弁１８を開き作動させる処理である。
尚、この乾燥運転開始処理においては、上記説明から明らかな如く、標準乾燥運転、スピード運転、及び、省エネ運転のいずれにおいても、換気機能付暖房手段Ｊを同じ状態に作動させることになる。
【０１１４】
また、この乾燥運転開始処理を開始した際には、湿度検出センサ３６にて検出される検出湿度（絶対湿度、相対湿度）を初期検出湿度として記憶し、同様に、温度センサ３７にて検出される検出温度を初期検出温度として記憶することになる。
さらに、この乾燥運転開始処理を開始すると、湿度検出センサ３６の検出湿度（絶対湿度）を設定時間（例えば、１秒）ごとにサンプリングすることを開始し、そして、設定時間（例えば、１秒）ごとにサンプリングした検出湿度（絶対湿度）から初期検出湿度（絶対湿度）を減算した湿度差を求め、その湿度差と換気ファン１１の換気量（上記サンプリング設定時間内の換気量）との積（単位時間排水量）を時間経過に伴って積算した積算排水量ＳＸを求めることを開始することになる。
【０１１５】
次に、予測目標総排水量ＷＰを設定済みであるか否かを判別し（＃２）、設定済みでないときには、湿度低下安定時点ＨＤであるか否かを判別し（＃４）、湿度低下安定時点ＨＤであるときには、予測残排水量ＷＹを求めて、予測残排水量ＷＹ及び目標総排水量ＷＰを設定する（＃５）。
予測目標総排水量ＷＰは、上述の如く、排出済み総排水量ＷＬと、予測残排水量ＷＹとの和として求められことになる。
【０１１６】
＃４にて、湿度低下安定時点ＨＤでないと判別したときに、浴室リモコン２や脱衣室リモコンの停止スイッチ３４にて停止指令が指令されているか否かを判断し（＃１５）、停止指令が指令されている場合には、換気機能付暖房手段Ｊを停止させる停止処理を実行し（＃１６）、停止指令が指令されていない場合には、＃２からの処理を繰り返すことになる。
【０１１７】
＃５にて、予測残排水量ＷＹ及び予測目標総排水量ＷＰを設定したのちは、現在実行している乾燥運転がスピード運転であるか否かを判別し（＃６）、そして、スピード運転である場合には、上述した吹出方向調整処理（＃７）や、上述したスピード運転用換気量設定処理（＃８）を順次実行する。
【０１１８】
＃６にて、スピード運転でないと判別したときには、現在実行している乾燥運転が省エネ運転であるか否かを判別し（＃９）、そして、省エネ運転の場合には、通風乾燥運転に切換えるために、熱動弁１８を閉じて、空気加熱用熱交換器１０に対する熱媒の通流を停止する処理を実行する（＃１０）。
引き続き、初期検出湿度（相対湿度）、及び、初期検出温度と、省エネ運転換気量設定情報とに基づいて、省エネ運転換気量を求めて、換気ファン１１の換気量が省エネ運転換気量となるように、換気ファン１１の回転速度を調整する省エネ運転用換気量変更処理を実行する（＃１１）。
【０１１９】
その後、温風乾燥切換時点ＴＰであるか否かを判別し（＃１２）、温風乾燥切換時点ＴＰである場合には、乾燥終期の温風乾燥運転に切換えるために、熱動弁１８を開いて、空気加熱用熱交換器１０に対する熱媒の通流を開始する処理を実行する（＃１３）。
【０１２０】
＃９にて、省エネ運転でないと判別される場合は、現在実行されている乾燥運転が標準乾燥運転である。
この標準乾燥運転は、乾燥運転の開始から終了まで、循環ファン９、換気ファン１１、及び、空気加熱用熱交換器１０を、つまり、換気機能付暖房手段Ｊを同じ作動状態で継続して作動させるものである。
したがって、＃９にて、省エネ運転でないと判別された場合には、直ちに、運転終了であるか否かを判別することになる（＃１４）。
【０１２１】
また、乾燥運転がスピード運転である場合において、吹出方向調整処理（＃７）やスピード運転用換気量設定処理（＃８）を順次実行した後においても、＃１４の運転終了の判別に移行することになり、さらに、乾燥運転が省エネ運転である場合において、＃１２にて温風乾燥切換時点ＴＰでないと判別したときや、＃１３にて熱媒の通流を開始する処理を実行した後は、＃１４の運転終了の判別に移行することになる。
【０１２２】
＃１４の運転終了の判別は、安定後積算排水量ＳＺが予測残排水量ＷＹに達すると運転終了であると判別する処理であり、そして、運転終了であると判別すると、＃１６の停止処理に移行することになる。
また、運転終了でないと判別すると、＃１５に移行して、上述の如く、停止スイッチ３４にて停止指令が指令されているか否かを判断する処理を実行し、停止指令が指令されている場合には、停止処理を実行し（＃１６）、停止指令が指令されていない場合には、＃２からの処理を繰り返すことになる。
【０１２３】
＃２にて、予測目標総排水量ＷＰを設定済みであると判別したときには、現在実行している乾燥運転が省エネ運転であるか否かを判別し（＃３）、省エネ運転の場合には、＃１２に移行して、温風乾燥切換時点ＴＰであるか否かを判別する処理を実行し、省エネ運転でない場合には、＃１４に移行して、運転終了であるか否かを判別する処理を実行することになる。
【０１２４】
要するに、乾燥機用の制御手段１は、乾燥運転として、標準乾燥運転、スピード運転、及び、省エネ運転を実行することになり、そして、いずれの運転においても、安定後積算排水量ＳＺが予測残排水量ＷＹになると、乾燥運転を停止することになる。
【０１２５】
また、乾燥機用の制御手段１は、スピード運転においては、湿度低下安定時点ＨＤになると、吹出方向調整処理やスピード運転用換気量変更処理を実行して、乾燥効率の向上を図ることになる。
【０１２６】
さらに、乾燥機用の制御手段１は、省エネ運転においては、湿度低下安定時点ＨＤになると、温風乾燥運転から通風乾燥運転に切換え、温風乾燥切換時点ＴＰになると、通風乾燥運転から温風乾燥運転に切換えることになり、また、温風乾燥運転から通風乾燥運転に切換える際に、換気ファン１１の換気量を、省エネ運転用の換気量に変更することにより、乾燥効率の向上を図ることになる。
【０１２７】
〔別実施形態〕
以下、別実施形態を列記する。
（１）上記実施形態では、ミスト噴出機能を備えた浴室乾燥機に、本発明を適用する場合を例示したが、本発明は、ミスト噴出機能を備えない形態の浴室乾燥機に適用してもよいことはもちろんである。
【０１２８】
（２）上記実施形態では、換気機能付暖房手段が、浴室の天井部に設置される場合を例示したが、換気機能付暖房手段を、浴室の側壁等に設置する形態で実施してもよい。
【０１２９】
（３）上記実施形態では、空気加熱手段として、熱媒が循環される空調用加熱器を例示したが、空気加熱手段としては、電気ヒータを備えた電気式の加熱器でもよい。
【０１３０】
（４）上記実施形態では、乾燥運転作動状態として、循環手段の循環量や空気加熱手段の加熱量を変更しない場合を例示したが、循環手段の循環量や空気加熱手段の加熱量を変更する形態に乾燥運転作動状態を設定する形態で実施してもよい。
【０１３１】
（５）上記実施形態では、換気手段の換気量を変更するにあたり、換気ファンの回転速度を変化させる場合を例示したが、例えば、浴室からの空気を排出する排気路に、その開度を変更するダンパを設けて、そのダンパの調整により換気量を調整する形態で実施してもよい。
【０１３２】
（６）上記実施形態では、浴室温度検出手段が、循環ファンにて吸引される浴室内の空気の温度を検出する場合を例示したが、例えば、浴室リモコンに温度センサを設けて、その温度センサの値を浴室温度とする形態で実施してもよい。
【０１３３】
（７）上記実施形態では、湿度検出手段が、循環ファンにて吸引される浴室内の空気の湿度を検出する場合を例示したが、例えば、浴室リモコンに湿度センサを設けて、その湿度センサの値を浴室湿度とする形態で実施してもよい。
【０１３４】
（８）上記実施形態では、乾燥運転を開始した直後において、浴室内の絶対湿度を検出する浴室湿度検出手段の検出湿度を、換気手段の換気作動に伴って浴室内に流動する外気の絶対湿度として、制御手段に記憶させることにより、浴室湿度検出手段を、換気手段の換気作動に伴って浴室内に流動する外気の絶対湿度を検出する外気湿度検出手段に兼用する場合を例示したが、浴室の外部に外気の絶対湿度を検出するセンサを装備して、そのセンサにて外気湿度検出手段を構成する形態で実施してもよい。
【０１３５】
（９）上記実施形態では、換気手段の吸引口と、循環手段の吸引口とが兼用される場合を例示したが、換気手段の吸引口と、循環手段の吸引口とが、別個に形成される形態で実施してもよい。
【符号の説明】
【０１３６】
１      制御手段
９      循環手段
１０    空気加熱手段
１１    換気手段
３６    浴室湿度検出手段
Ｊ      換気機能付暖房手段
ＳＺ    安定後積算排水量
ＷＹ    予測残排水量
Ｙ      浴室
【図１】
0005623964.tif 000002
【図２】
0005623964.tif 000003
【図３】
0005623964.tif 000004
【図４】
0005623964.tif 000005
【図５】
0005623964.tif 000006
【図６】
0005623964.tif 000007
【図７】
0005623964.tif 000008
【図８】
0005623964.tif 000009
【図９】
0005623964.tif 000010
【図１０】
0005623964.tif 000011
【図１１】
0005623964.tif 000012
【図１２】
0005623964.tif 000013